(57)【特許請求の範囲】
【請求項１】
鍋等の被加熱物を載置する天板と、該天板付近に設けられ、前記天板付近の温度を検知するサーミスタと、外部の交流電源に接続される整流回路と、該整流回路に接続され、前記被加熱物を加熱する加熱コイルと、該加熱コイルに接続された共振コンデンサと、前記加熱コイルに接続され、オンオフすることで、前記加熱コイルの加熱を実行するスイッチング素子と、該スイッチング素子をオンオフ制御するマイクロコンピュータと、該マイクロコンピュータに一定電圧の電力を供給する制御電源回路と、前記外部の交流電源と前記整流回路との間に接続され、ユーザによる操作可能な電源スイッチと、前記マイクロコンピュータに接続され、駆動されない状態では回路を開き、駆動されることにより回路を閉じる第１リレーと、前記マイクロコンピュータに接続され、駆動されない状態では回路を閉じ、駆動されることにより回路を開く第２リレーと、前記加熱コイル付近を冷却するファンを駆動するモータと、を備え、
前記第１リレーと前記第２リレーは、互いに直列接続されて前記電源スイッチに並列接続され、前記第１リレーは、前記第２リレーよりも前記外部の交流電源側に設けられると共に、前記制御電源回路及び前記モータは、前記第１リレーと前記第２リレーとの接続点に接続され、
また、前記マイクロコンピュータは、前記電源スイッチがオンされた後、前記第２リレーを介して前記制御電源回路から電力が供給され、その後、前記第１リレーを閉じて前記第２リレーを開き、前記第１リレーを介して前記制御電源回路から電力が供給され、
また、前記マイクロコンピュータは、サーミスタの検知温度が異常な高温となったとき前記スイッチング素子をオフして加熱を停止し、
さらに、前記マイクロコンピュータは、前記電源スイッチがオフされて前記加熱コイルへの電力供給を停止した後、前記第１リレーを介して電力供給が継続されると共に、前記マイクロコンピュータは、前記サーミスタの検知温度が、前記ファンによる冷却が必要なほど高温であるかどうか判断し、高温であると判断したとき前記ファンによる冷却を行い、また高温ではないと判断したとき前記第１リレーをオフして前記制御電源回路からの電力供給を停止することを特徴とする電磁調理器。
【発明の詳細な説明】
【０００１】
【発明の属する技術分野】
本発明は、電磁調理器に関し、特に、電磁調理器の待機電力の消費を回避し、省エネルギを図る構成に関する。
【０００２】
【従来の技術】
従来の加熱調理装置の一例を、図８を参照しつつ説明する。図８は、従来の電磁調理器の電気回路を模式的に示す図である。
【０００３】
図８の電磁調理器では、交流電源１０１から加熱コイル１０９に電力が供給されることにより、加熱が行なわれる。電源スイッチ１０２が閉じられると、トランス１０３、制御電源回路１０４を介してマイクロコンピュータ１０５に電力が供給される。マイクロコンピュータ１０５は、スイッチング素子１１０をオンオフ制御することにより、整流回路１０８を介して、加熱コイル１０９に電力を供給させる。加熱コイル１０９付近やスイッチング素子１１０等の発熱部品付近を冷却するために、ファンが設けられている。モータ１０６は、そのファンを回転させるものである。マイクロコンピュータ１０５は、スイッチ１０７のオン／オフを制御することにより、適宜、モータ１０６を駆動させ、ファンを回転させる。なお、電源スイッチ１０２は、交流電源１０１と、トランス１０３、モータ１０６および整流回路１０８の間に、設けられている。つまり、電磁調理器１において、モータ１０６は、トランス１０３、モータ１０６および整流回路１０８よりも、交流電源１０１側に設けられている。
【０００４】
電源スイッチ１０２は、ユーザにより、その開閉を切換えられる。このようなタイプの電磁調理器では、加熱コイル１０９による加熱が終了して、すぐに、ユーザが電源スイッチ１０２を開状態とすると、マイクロコンピュータ１０５に電力が供給されなくなった。このため、電源スイッチ１０２が開状態とされると、加熱コイル１０９付近が高温となっていても、マイクロコンピュータ１０５は、その旨をユーザに報知する表示等が行なえず、危険である、という問題があった。
【０００５】
この問題を解決しようとした、従来の加熱調理装置の別の一例を、図９を参照しつつ説明する。図９は、従来の電磁調理器の別の一例の電気回路を模式的に示す図である。なお、図９において、図８と同様の構成要素については、同じ符号を付し、その説明を省略する。
【０００６】
図９に示す例では、図８の電源スイッチ１０２が、電源スイッチ１１１に置換されている。電源スイッチ１１１は、交流電源１０１と、モータ１０６および整流回路１０８との間に設けられている。なお、トランス１０３は、電源スイッチ１１１よりも、交流電源１０１側に設けられている。これにより、電源スイッチ１１１が開状態とされても、マイクロコンピュータ１０５には電力が供給され続けるため、加熱コイル１０９付近が高温の場合、上記のような、ユーザへの報知を行なう表示等が可能であった。
【０００７】
【発明が解決しようとする課題】
しかしながら、図９に示すような例では、トランス１０３を介して、マイクロコンピュータ１０５に、常に電力が供給されつづけるため、マイクロコンピュータ１０５やそれに付随した回路によって待機電力という無駄な電力が消費される、という問題があった。
【０００８】
つまり、従来の加熱調理装置において、加熱手段（加熱コイル１０９）に電力を供給できない状態となっても、加熱手段とは異なる電気部品（マイクロコンピュータ１０５等）に電力を供給できるよう構成された場合、装置の安全性は確保されても、当該電気部品の待機電力が消費され、省エネルギ性に欠ける、という問題があった。
【０００９】
本発明は、かかる実情に考え見考え出されたものであり、その目的は、安全で、かつ、省エネルギ性を備えた電磁調理器を提供することである。
【００１０】
【課題を解決するための手段】
請求項１に記載の本発明にかかる電磁調理器は、鍋等の被加熱物を載置する天板と、該天板付近に設けられ、前記天板付近の温度を検知するサーミスタと、外部の交流電源に接続される整流回路と、該整流回路に接続され、前記被加熱物を加熱する加熱コイルと、該加熱コイルに接続された共振コンデンサと、前記加熱コイルに接続され、オンオフすることで、前記加熱コイルの加熱を実行するスイッチング素子と、該スイッチング素子をオンオフ制御するマイクロコンピュータと、該マイクロコンピュータに一定電圧の電力を供給する制御電源回路と、前記外部の交流電源と前記整流回路との間に接続され、ユーザによる操作可能な電源スイッチと、前記マイクロコンピュータに接続され、駆動されない状態では回路を開き、駆動されることにより回路を閉じる第１リレーと、前記マイクロコンピュータに接続され、駆動されない状態では回路を閉じ、駆動されることにより回路を開く第２リレーと、前記加熱コイル付近を冷却するファンを駆動するモータと、を備え、前記第１リレーと前記第２リレーは、互いに直列接続されて前記電源スイッチに並列接続され、前記第１リレーは、前記第２リレーよりも前記外部の交流電源側に設けられると共に、前記制御電源回路及び前記モータは、前記第１リレーと前記第２リレーとの接続点に接続され、また、前記マイクロコンピュータは、前記電源スイッチがオンされた後、前記第２リレーを介して前記制御電源回路から電力が供給され、その後、前記第１リレーを閉じて前記第２リレーを開き、前記第１リレーを介して前記制御電源回路から電力が供給され、また、前記マイクロコンピュータは、サーミスタの検知温度が異常な高温となったとき前記スイッチング素子をオフして加熱を停止し、さらに、前記マイクロコンピュータは、前記電源スイッチがオフされて前記加熱コイルへの電力供給を停止した後、前記第１リレーを介して電力供給が継続されると共に、前記マイクロコンピュータは、前記サーミスタの検知温度が、前記ファンによる冷却が必要なほど高温であるかどうか判断し、高温であると判断したとき前記ファンによる冷却を行い、また高温ではないと判断したとき前記第１リレーをオフして前記制御電源回路からの電力供給を停止することを特徴とする。
【００１１】
請求項１に記載の発明によると、電磁調理器において、電源スイッチがオフされることにより加熱コイル等への電力供給を停止でき、また電源スイッチがオフされた後であっても、サーミスタの検知温度が加熱コイル付近を冷却するファンによる冷却が必要なほど高温であるとき、マイクロコンピュータやファンを駆動するモータには電力が供給され、ファンによる冷却を行い、その後高温でなくなれば、マイクロコンピュータがマイクロコンピュータ及びファンを駆動するモータへの電力供給を停止するので、マイクロコンピュータの待機電力を消費することを回避できる。つまり、安全で、かつ、省エネルギ性を備えることができる。
【００１２】
【発明の実施の形態】
以下、図面を用いて、本発明の実施の形態の一例を説明する。
【００１３】
図１は、本発明の加熱調理装置の一例である電磁調理器の外観を示す図である。電磁調理器１は、後述する加熱コイル等を収納する本体１ａと、ユーザが操作する情報を入力するための操作パネル２と、鍋等の被加熱物を載置するための複数の天板３とを含む。
【００１４】
図２は、電磁調理器１の電気回路を模式的に示す図である。
図２を参照して、電磁調理器１を構成する回路は、外部の交流電源４に接続されている。また、電磁調理器１は、たとえばシーソースイッチにより構成されユーザが操作可能な電源スイッチ４２と、トランス４３と、交流電源４から投入される交流の電力を直流の電力に変換する整流回路４４と、平滑コンデンサ４６と、被加熱物の加熱に用いられる加熱コイル４７と、共振コンデンサ４８と、スイッチング素子４９と、スイッチング素子４９のオン／オフを制御する駆動制御回路５０と、駆動制御回路５０に接続されるマイクロコンピュータ５１とが主に含まれる。なお、本実施の形態では、電源スイッチ４２により、加熱切替手段が構成される。
【００１５】
スイッチング素子４９がオンされると、加熱コイル４７に通電し、被加熱物が加熱される。整流回路４４と加熱コイル４７の間には、当該場所の電圧を検知するための電圧検知回路４５が接続されている。電圧検知回路４５は、マイクロコンピュータ５１にも接続されている。マイクロコンピュータ５１は、電圧検知回路４５により検知される電圧値をモニタしながら、加熱コイル４７の出力を制御する。
【００１６】
なお、電磁調理器１には、天板３付近に、サーミスタ５３（図１では省略）が設けられ、マイクロコンピュータ５１は、サーミスタ５３の検知温度をモニタできる。そして、マイクロコンピュータ５１は、天板３が異常な高温となった場合に、即座に、スイッチング素子４９をオフして、加熱コイル４７への通電を停止し、加熱を停止させることができる。
【００１７】
マイクロコンピュータ５１には、表示キー入力回路５２が接続されている。表示キー入力回路５２は、操作パネル２に接続されており、操作パネル２上で入力された情報をマイクロコンピュータ５１に入力し、また、操作パネル２に設けられた各種ランプの点灯を制御する。
【００１８】
制御電源回路５４は、トランス４３に接続され、マイクロコンピュータ５１に一定電圧の電力を供給するために設けられている。
【００１９】
第１リレー９１および第２リレー９２は、電源スイッチ４２と並列に接続されている。なお、第１リレー９１と第２リレー９２とは、互いに直列に接続されている。そして、本実施の形態では、第１リレー９１、第２リレー９２により、第１のスイッチ、第２のスイッチが構成されている。第１リレー９１および第２リレー９２は、ともに、マイクロコンピュータ５１に、動作を制御される。詳しくは、第１リレー９１は、マイクロコンピュータ５１に駆動されない状態では、図２に示すように、回路を開いた状態にあり、マイクロコンピュータ５１に駆動されることにより、回路を閉じる。一方、第１リレー９２は、マイクロコンピュータ５１に駆動されない状態では、図２に示すように、回路を閉じた状態にあり、マイクロコンピュータ５１に駆動されることにより、回路を開く。第１リレー９１が回路を閉じると、交流電源４とトランス４３が接続され、交流電源４からトランス４３に電力が供給される。
【００２０】
電磁調理器１には、加熱コイル４７付近を冷却するためのファン（図示略）が設けられている。そして、このファンを駆動するために、モータ５９が設けられている。モータ５９と直列に、スイッチ５８が設けられている。スイッチ５８は、マイクロコンピュータ５１により、動作を制御される。スイッチ５８が回路を閉じると、モータ５９が駆動し、ファンが回転する。
【００２１】
電磁調理器１において、マイクロコンピュータ５１は、第１リレー９１と第２リレー９２のオン／オフを、独立して制御できる。以下に、電磁調理器１でのマイクロコンピュータ５１による加熱動作の制御を、図３〜図７を参照しつつ、第１リレー９１と第２リレー９２のオン／オフの制御態様を中心に説明する。図３は、マイクロコンピュータ５１の加熱動作制御処理のフローチャートである。また、図４〜図７は、図２に示した電気回路の、第１リレー９１、第２リレー９２付近のみを拡大して示す図である。なお、図４〜図７において、破線は、交流電源４から流れる電流の経路を示している。
【００２２】
まず、Ｓ１で、電源スイッチ４２がオンされたことを確認すると、マイクロコンピュータ５１は、Ｓ２に進み、自らを初期化する処理を行ない、Ｓ３に進む。電磁調理器１において、電源スイッチ４２がオンされることにより、図４に示すように、トランス４３に電力の供給が開始される。つまり、Ｓ１の処理は、自らへの電力の供給が開始されたことを確認する処理に相当する。なお、この状態では、図４に示すように、第１リレー９１は回路を開いており、第２リレー９２は回路を閉じている。
【００２３】
Ｓ３では、図５に示すように、第１リレー９１に回路を閉じさせる処理を行ない、Ｓ４に進む。これにより、電源スイッチ４２および第２リレー９２が回路を開いても、トランス４３には電力が供給されるため、マイクロコンピュータ５１にも電力が供給される。Ｓ４では、Ｓ３の処理の後、一定時間待機する処理を行ない、Ｓ５に進む。
【００２４】
Ｓ５では、図６に示すように、第２リレー９２をオフし、このリレーに回路を開かせる処理を行ない、Ｓ６に進む。これにより、電源スイッチ４２がオフされ、このスイッチが回路を開いた場合、加熱コイル４７等には電力が供給できなくなるが、トランス４３を介してマイクロコンピュータ５１には、電力は供給される。
【００２５】
次に、Ｓ６では、通常の加熱動作を実行する処理を行ない、Ｓ７に進む。なお、Ｓ６における通常の加熱動作とは、操作パネル２において入力された情報に応じて、加熱コイル４７に通電し、被加熱物の加熱を行なうことである。
【００２６】
次に、Ｓ７では、電源電圧が不足しているか否かを判断する。ここでいう電源電圧の不足は、電源スイッチ４２がオフされることにより生じる。そして、電源電圧が不足していないと判断すると、Ｓ６に戻り、通常の加熱動作を続行する。一方、電源電圧が不足していると判断すると、Ｓ８に進む。なお、ここでは、図７に示すように、電源スイッチ４２および第２スイッチ９２がオフされているので、加熱コイル４７は、交流電源４とは接続されておらず、通電されない状態となっている。つまり、電磁調理器１は、加熱が終了している状態となっている。ただし、図７に示す状態では、モータ５９には、電力は供給される。なお、この状態では、加熱コイル４７は、交流電源４と接続されていないため、誤って加熱動作を行なうことなく、かつ、待機電力を消費しない。
【００２７】
Ｓ８では、操作パネル２におけるキー操作の受付けを禁止する処理を行ない、Ｓ９に進む。Ｓ９では、ファンを作動させ、かつ、電磁調理器１の天板３が高温であるためユーザに注意を促すよう操作パネル２において表示する処理を行ない、Ｓ１０に進む。なお、ここで行なわれる、注意を促す表示は、注意を促す音声を発生させることに置き換えられてもよい。つまり、何らかの形で、ユーザに注意を促す状態にある旨を報知できればよい。
【００２８】
Ｓ１０では、再度、電源電力が不足しているか否かを判断する処理を行ない、Ｓ１１に進む。
【００２９】
Ｓ１１では、天板３付近が、ファンによる冷却が必要なほど高温であるか否かを判断する。なお、この判断は、サーミスタ５３の検知温度に基づいて行なわれる。高温であると判断すると、Ｓ９に戻り、ファンによる冷却を続ける。一方、高温ではないと判断すると、Ｓ１２に進み、第１リレー９１をオフする処理を行ない、Ｓ１３に進む。第１リレー９１がオフされることにより、モータ５９への電力の供給が停止されファンが動作を停止し、また、Ｓ９で行なわれた表示が停止される。
【００３０】
そして、Ｓ１３では、自らをリセットして、処理を終了する。
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００３１】
つまり、本実施の形態では、加熱調理装置の一例として、電磁調理器を採用したが、電力を供給されることにより加熱を行なう加熱手段や当該加熱手段とは異なった電気部品を含み、さらに、加熱手段および前記電気部品への電力の供給を、可能な状態にするか、不可能な状態にするかを制御できる電力制御手段を含む加熱調理装置であれば、本発明は、電子レンジやホットプレート等の他の加熱調理装置に採用することもできる。
【００３２】
なお、本実施の形態では、マイクロコンピュータ５１、第１リレー９１、第２リレー９２および電源スイッチ４２により、上記した電力制御手段が構成されている。
【００３３】
また、本実施の形態では、図７に示す状態により、加熱手段への電力の供給が不可能な状態であって、電気部品への電力の供給が可能な第１の状態が構成されている。そして、図２に示す状態、または、Ｓ１２の処理後の第１リレー９１がオフされた状態により、加熱手段および電気部品への電力の供給が不可能な第２の状態が構成されている。
【００３４】
また、本実施の形態では、マイクロコンピュータ５１は、Ｓ１１において、所定の温度を越えているか否か、すなわち、天板３付近が高温であるか否かを判断し、高温ではないと判断すると、Ｓ１２において、ファンの動作を停止させ、また、Ｓ９で行なわせた表示を停止させる。なお、ファンの動作の停止や表示の停止の条件は、発熱部品が近接する天板３付近の温度が高温ではないことに限定されない。つまり、マイクロコンピュータ５１は、たとえば、加熱手段である加熱コイル４７による加熱が停止されてから、予め定められた一定時間が経過したことを条件として、ファンの動作の停止や表示の停止を実行してもよい。
【図面の簡単な説明】
【図１】  加熱調理装置の一例の電磁調理器の外観を示す図である。
【図２】  図１の電磁調理器の電気回路を模式的に示す図である。
【図３】  図１の電磁調理器のマイクロコンピュータが実行する加熱動作制御処理のフローチャートである。
【図４】  図２に示した電気回路の、第１リレー、第２リレー付近のみを拡大して示す図である。
【図５】  図２に示した電気回路の、第１リレー、第２リレー付近のみを拡大して示す図である。
【図６】  図２に示した電気回路の、第１リレー、第２リレー付近のみを拡大して示す図である。
【図７】  図２に示した電気回路の、第１リレー、第２リレー付近のみを拡大して示す図である。
【図８】  従来の加熱調理装置の一例を示す図である。
【図９】  従来の加熱調理装置の別の例を示す図である。
【符号の説明】
１  電磁調理器、２  操作パネル、４７  加熱コイル、５１  マイクロコンピュータ、５３  サーミスタ、９１  第１リレー、９２  第２リレー。
【図１】
0003728150.tif 000002
【図２】
0003728150.tif 000003
【図３】
0003728150.tif 000004
【図４】
0003728150.tif 000005
【図５】
0003728150.tif 000006
【図６】
0003728150.tif 000007
【図７】
0003728150.tif 000008
【図８】
0003728150.tif 000009
【図９】
0003728150.tif 000010